(57)【要約】【課題】屈折力測定及びＯＣＴ計測が可能な眼科装置において測定等に要する時間を短縮することが可能な眼科装置、及びその制御方法を提供する。【解決手段】眼科装置は、屈折力測定光学系と、ＯＣＴ光学系と、固視投影系と、制御部と、を含む。屈折力測定光学系は、被検眼に光を投射し、被検眼からの戻り光を検出する。ＯＣＴ光学系は、ＯＣＴ光源からの光を参照光と測定光とに分割し、測定光を被検眼に投射し、被検眼からの測定光の戻り光と参照光との干渉光を検出する。固視投影系は、第１固視標と第１固視標より視角が狭い第２固視標とを被検眼に同時に投影する。制御部は、屈折力測定光学系を用いた屈折力測定とＯＣＴ光学系を用いたＯＣＴ計測とを同時に実行させる。【選択図】図３
2020025616.tif 000002
【特許請求の範囲】
【請求項１】
被検眼に光を投射し、前記被検眼からの戻り光を検出する屈折力測定光学系と、
ＯＣＴ光源からの光を参照光と測定光とに分割し、前記測定光を前記被検眼に投射し、前記被検眼からの前記測定光の戻り光と前記参照光との干渉光を検出するＯＣＴ光学系と、
第１固視標と前記第１固視標より視角が狭い第２固視標とを前記被検眼に同時に投影する固視投影系と、
前記屈折力測定光学系を用いた屈折力測定と前記ＯＣＴ光学系を用いたＯＣＴ計測とを同時に実行させる制御部と、
を含む眼科装置。
【請求項２】
前記制御部は、前記固視投影系を制御することにより前記第２固視標の呈示状態を変更する
ことを特徴とする請求項１に記載の眼科装置。
【請求項３】
前記固視投影系は、
前記第１固視標を前記被検眼に投影する第１固視標投影系と、
前記第２固視標を前記被検眼に投影する第２固視標投影系と、
を含み、
前記第１固視標投影系は、前記第１固視標投影系の光路に前記第２固視標投影系の光路を合成する光学部材を含む
ことを特徴とする請求項１又は請求項２に記載の眼科装置。
【請求項４】
前記第１固視標投影系は、前記被検眼を雲霧させる位置に配置され前記第１固視標が表示された視標チャートを含み、
前記第２固視標投影系は、前記被検眼の眼底と光学的に共役な位置に配置された光源を含む
ことを特徴とする請求項３に記載の眼科装置。
【請求項５】
前記第１固視標投影系は、前記第１固視標が表示された視標チャートを含み、
前記第２固視標投影系は、
前記視標チャートと光学的に共役な位置に配置された光源と、
前記光源と前記光学部材との間に配置された絞りと、
を含む
ことを特徴とする請求項３に記載の眼科装置。
【請求項６】
前記第１固視標投影系は、
第１光源と、
前記光学部材より前記被検眼の側に配置され前記第１固視標が表示された透過型の視標チャートと、
を含み、前記第１光源と前記視標チャートとの間に前記光学部材が配置され、
前記第２固視標投影系は、前記視標チャートと光学的に共役な位置に配置された第２光源を含む
ことを特徴とする請求項３に記載の眼科装置。
【請求項７】
前記固視投影系は、光軸方向に移動可能であり、
前記制御部は、前記被検眼を雲霧させる位置に前記視標チャートを移動するように前記固視投影系を移動させる
ことを特徴とする請求項５又は請求項６に記載の眼科装置。
【請求項８】
前記制御部は、少なくとも前記被検眼を雲霧させる位置に前記視標チャートを移動させる雲霧制御が行われているとき、前記ＯＣＴ光学系によるＯＣＴ計測を実行させる
ことを特徴とする請求項４〜請求項７のいずれか一項に記載の眼科装置。
【請求項９】
前記屈折力測定光学系の光路に前記ＯＣＴ光学系の光路を合成する光路合成分離部材と、
前記光路合成分離部材により合成された合成光路上に配置された対物レンズと、
を含み、
前記光路合成分離部材は、前記対物レンズを介して入射した光を波長分離し、波長分離された光を前記ＯＣＴ光学系に導く
ことを特徴とする請求項１〜請求項８のいずれか一項に記載の眼科装置。
【請求項１０】
被検眼に光を投射し、前記被検眼からの戻り光を検出する屈折力測定光学系と、
ＯＣＴ光源からの光を参照光と測定光とに分割し、前記測定光を前記被検眼に投射し、前記被検眼からの前記測定光の戻り光と前記参照光との干渉光を検出するＯＣＴ光学系と、
第１固視標と前記第１固視標より視角が狭い第２固視標とを前記被検眼に投影する固視投影系と、
制御部と、
を含む眼科装置の制御方法であって、
前記制御部が前記固視投影系を制御して前記第１固視標と前記第２固視標とを前記被検眼に同時に投影する投影ステップと、
前記第１固視標と前記第２固視標とが前記被検眼に同時に投影されている間に、前記屈折力測定光学系を用いた屈折力測定と前記ＯＣＴ光学系を用いたＯＣＴ計測とを同時に実行させる計測ステップと、
を含む眼科装置の制御方法。
【請求項１１】
前記投影ステップは、前記固視投影系を制御することにより前記第２固視標の呈示状態を変更する
ことを特徴とする請求項１０に記載の眼科装置の制御方法。
【請求項１２】
前記固視投影系は、光軸方向に移動可能であり、
前記固視投影系は、前記第１固視標が表示された視標チャートを含み、
前記計測ステップは、
前記屈折力測定光学系を制御して前記屈折力測定を行う屈折力測定ステップと、
前記ＯＣＴ光学系を制御して前記ＯＣＴ計測を行うＯＣＴ計測ステップと、
を含み、
前記屈折力測定ステップは、
前記制御部が前記被検眼を雲霧させる位置に前記視標チャートを移動させるように前記固視投影系を制御する雲霧制御ステップを含み、
少なくとも前記雲霧制御ステップと前記ＯＣＴ計測ステップとを同時に実行させる
ことを特徴とする請求項１０又は請求項１１に記載の眼科装置の制御方法。
【発明の詳細な説明】
【技術分野】
【０００１】
この発明は、眼科装置、及びその制御方法に関する。
【背景技術】
【０００２】
被検眼に対して複数の検査や測定を実行可能な眼科装置が知られている。被検眼に対する検査や測定には、自覚検査や他覚測定がある。自覚検査は、被検者からの応答に基づいて結果を得るものである。他覚測定は、被検者からの応答を参照することなく、主として物理的な手法を用いて被検眼に関する情報を取得するものである。
【０００３】
例えば、特許文献１には、自覚検査や他覚測定が可能な眼科装置が開示されている。この眼科装置では、他覚測定として、被検眼の屈折力測定や光コヒーレンストモグラフィ（Ｏｐｔｉｃａｌ  Ｃｏｈｅｒｅｃｅ  Ｔｏｍｏｇｒａｐｈｙ：ＯＣＴ）を用いた撮影や計測が可能である。
【先行技術文献】
【特許文献】
【０００４】
【特許文献１】特開２０１７−１３６２１５号公報
【発明の概要】
【発明が解決しようとする課題】
【０００５】
しかしながら、従来の眼科装置では、複数の検査等を実行可能であるものの、各検査等が順次に行われる。例えば、屈折力測定及びＯＣＴ計測が可能な眼科装置において、各測定等が順次に行われるため、検査時間が長くなり、被検者に負担がかかるという問題がある。
【０００６】
本発明は、このような事情を鑑みてなされたものであり、その目的は、屈折力測定及びＯＣＴ計測が可能な眼科装置において測定等に要する時間を短縮することが可能な眼科装置、及びその制御方法を提供することにある。
【課題を解決するための手段】
【０００７】
いくつかの実施形態の第１態様は、被検眼に光を投射し、前記被検眼からの戻り光を検出する屈折力測定光学系と、ＯＣＴ光源からの光を参照光と測定光とに分割し、前記測定光を前記被検眼に投射し、前記被検眼からの前記測定光の戻り光と前記参照光との干渉光を検出するＯＣＴ光学系と、第１固視標と前記第１固視標より視角が狭い第２固視標とを前記被検眼に同時に投影する固視投影系と、前記屈折力測定光学系を用いた屈折力測定と前記ＯＣＴ光学系を用いたＯＣＴ計測とを同時に実行させる制御部と、を含む眼科装置である。
【０００８】
いくつかの実施形態の第２態様では、第１態様において、前記制御部は、前記固視投影系を制御することにより前記第２固視標の呈示状態を変更する。
【０００９】
いくつかの実施形態の第３態様では、第１態様又は第２態様において、前記固視投影系は、前記第１固視標を前記被検眼に投影する第１固視標投影系と、前記第２固視標を前記被検眼に投影する第２固視標投影系と、を含み、前記第１固視標投影系は、前記第１固視標投影系の光路に前記第２固視標投影系の光路を合成する光学部材を含む。
【００１０】
いくつかの実施形態の第４態様では、第３態様において、前記第１固視標投影系は、前記被検眼を雲霧させる位置に配置され前記第１固視標が表示された視標チャートを含み、前記第２固視標投影系は、前記被検眼の眼底と光学的に共役な位置に配置された光源を含む。
【００１１】
いくつかの実施形態の第５態様では、第３態様において、前記第１固視標投影系は、前記第１固視標が表示された視標チャートを含み、前記第２固視標投影系は、前記視標チャートと光学的に共役な位置に配置された光源と、前記光源と前記光学部材との間に配置された絞りと、を含む。
【００１２】
いくつかの実施形態の第６態様では、第３態様において、前記第１固視標投影系は、第１光源と、前記光学部材より前記被検眼の側に配置され前記第１固視標が表示された透過型の視標チャートと、を含み、前記第１光源と前記視標チャートとの間に前記光学部材が配置され、前記第２固視標投影系は、前記視標チャートと光学的に共役な位置に配置された第２光源を含む。
【００１３】
いくつかの実施形態の第７態様では、第５態様又は第６態様において、前記固視投影系は、光軸方向に移動可能であり、前記制御部は、前記被検眼を雲霧させる位置に前記視標チャートを移動するように前記固視投影系を移動させる。
【００１４】
いくつかの実施形態の第８態様では、第４態様〜第７態様のいずれかにおいて、前記制御部は、少なくとも前記被検眼を雲霧させる位置に前記視標チャートを移動させる雲霧制御が行われているとき、前記ＯＣＴ光学系によるＯＣＴ計測を実行させる。
【００１５】
いくつかの実施形態の第９態様は、第１態様〜第８態様のいずれかにおいて、前記屈折力測定光学系の光路に前記ＯＣＴ光学系の光路を合成する光路合成分離部材と、前記光路合成分離部材により合成された合成光路上に配置された対物レンズと、を含み、前記光路合成分離部材は、前記対物レンズを介して入射した光を波長分離し、波長分離された光を前記ＯＣＴ光学系に導く。
【００１６】
いくつかの実施形態の第１０態様は、被検眼に光を投射し、前記被検眼からの戻り光を検出する屈折力測定光学系と、ＯＣＴ光源からの光を参照光と測定光とに分割し、前記測定光を前記被検眼に投射し、前記被検眼からの前記測定光の戻り光と前記参照光との干渉光を検出するＯＣＴ光学系と、第１固視標と前記第１固視標より視角が狭い第２固視標とを前記被検眼に投影する固視投影系と、制御部と、を含む眼科装置の制御方法であって、前記制御部が前記固視投影系を制御して前記第１固視標と前記第２固視標とを前記被検眼に同時に投影する投影ステップと、前記第１固視標と前記第２固視標とが前記被検眼に同時に投影されている間に、前記屈折力測定光学系を用いた屈折力測定と前記ＯＣＴ光学系を用いたＯＣＴ計測とを同時に実行させる計測ステップと、を含む眼科装置の制御方法である。
【００１７】
いくつかの実施形態の第１１態様では、第１０態様において、前記投影ステップは、前記固視投影系を制御することにより前記第２固視標の呈示状態を変更する。
【００１８】
いくつかの実施形態の第１２態様では、第１０態様又は第１１態様において、前記固視投影系は、光軸方向に移動可能であり、前記固視投影系は、前記第１固視標が表示された視標チャートを含み、前記計測ステップは、前記屈折力測定光学系を制御して前記屈折力測定を行う屈折力測定ステップと、前記ＯＣＴ光学系を制御して前記ＯＣＴ計測を行うＯＣＴ計測ステップと、を含み、前記屈折力測定ステップは、前記制御部が前記被検眼を雲霧させる位置に前記視標チャートを移動させるように前記固視投影系を制御する雲霧制御ステップを含み、少なくとも前記雲霧制御ステップと前記ＯＣＴ計測ステップとを同時に実行させる。
【発明の効果】
【００１９】
本発明によれば、屈折力測定及びＯＣＴ計測が可能な眼科装置において測定等に要する時間を短縮することが可能な眼科装置、及びその制御方法を提供することができるようになる。
【図面の簡単な説明】
【００２０】
【図１】第１実施形態に係る眼科装置の光学系の構成例を示す概略図である。
【図２】第１実施形態に係る眼科装置の光学系の構成例を示す概略図である。
【図３】第１実施形態に係る眼科装置の処理系を説明するための概略図である。
【図４Ａ】第１実施形態に係る眼科装置を説明するための概略図である。
【図４Ｂ】第１実施形態に係る眼科装置を説明するための概略図である。
【図４Ｃ】第１実施形態に係る眼科装置を説明するための概略図である。
【図５】第１実施形態に係る眼科装置の動作例を示す概略図である。
【図６Ａ】第２実施形態に係る眼科装置の光学系の構成例を示す概略図である。
【図６Ｂ】第２実施形態に係る眼科装置の光学系の他の構成例を示す概略図である。
【図７】第３実施形態に係る眼科装置の光学系の構成例を示す概略図である。
【図８】第４実施形態に係る眼科装置の光学系の構成例を示す概略図である。
【発明を実施するための形態】
【００２１】
この発明に係る眼科装置、及びその制御方法の実施形態の例について、図面を参照しながら詳細に説明する。なお、この明細書において引用された文献の記載内容や任意の公知技術を、以下の実施形態に援用することが可能である。
【００２２】
実施形態に係る眼科装置は、屈折力測定（レフ測定）と、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いた計測や撮影とを実行可能である。
【００２３】
以下、実施形態では、ＯＣＴを用いた計測等においてスウェプトソースタイプのＯＣＴの手法を用いる場合について特に詳しく説明するが、他のタイプ（例えば、スペクトラルドメインタイプ）のＯＣＴを用いる眼科装置に対して、実施形態に係る構成を適用することも可能である。
【００２４】
いくつかの実施形態に係る眼科装置は、更に、自覚検査を行うための自覚検査光学系や、その他の他覚測定を行うための他覚測定系を含む。
【００２５】
自覚検査は、被検者からの応答を利用して情報を取得する測定手法である。自覚検査には、遠用検査、近用検査、コントラスト検査、グレア検査等の自覚屈折測定や、視野検査などがある。
【００２６】
他覚測定は、被検者からの応答を参照することなく、主に物理的な手法を用いて被検眼に関する情報を取得する測定手法である。他覚測定には、被検眼の特性を取得するための測定と、被検眼の画像を取得するための撮影とが含まれる。その他の他覚測定には、ケラト測定、眼圧測定、眼底撮影等がある。
【００２７】
以下、眼底共役位置は、アライメントが完了した状態での被検眼の眼底と光学的に略共役な位置であり、被検眼の眼底と光学的に共役な位置又はその近傍を意味するものとする。同様に、瞳孔共役位置は、アライメントが完了した状態での被検眼の瞳孔と光学的に略共役な位置であり、被検眼の瞳孔と光学的に共役な位置又はその近傍を意味するものとする。
【００２８】
［第１実施形態］
第１実施形態に係る眼科装置は、複数の検査や測定を行うための複数の光学系を備え、複数の検査等を行うための固視標を被検眼に同時に呈示しつつ、複数の検査等を同時に実行することが可能である。第１実施形態では、複数の光学系に共通の対物レンズが設けられ、互いに波長範囲が異なる光を用いて複数の検査等が行われる。以下、複数の他覚測定のうちレフ測定とＯＣＴ計測を同時に実行可能な眼科装置について説明するが、レフ測定とＯＣＴ計測との組み合わせ以外に対して、以下で説明する実施形態を適用することが可能である。
【００２９】
＜光学系の構成＞
図１に、第１実施形態に係る眼科装置の光学系の構成例を示す。第１実施形態に係る眼科装置１０００は、被検眼Ｅを観察するための光学系と、被検眼Ｅを検査するための光学系と、これらの光学系の光路を波長分離するダイクロイックミラーとを含む。被検眼Ｅを観察するための光学系として、前眼部観察系５が設けられている。被検眼Ｅを検査するための光学系としてＯＣＴ光学系やレフ測定光学系（屈折力測定光学系）が設けられている。
【００３０】
眼科装置１０００は、Ｚアライメント系１、ＸＹアライメント系２、ケラト測定系３、固視投影系４、前眼部観察系５、レフ測定投射系６、レフ測定受光系７、及びＯＣＴ光学系８を含む。以下では、例えば、前眼部観察系５が９４０ｎｍ〜１０００ｎｍの光を用い、レフ測定光学系（レフ測定投射系６、レフ測定受光系７）が８３０ｎｍ〜８８０ｎｍの光を用い、固視投影系４が４００ｎｍ〜７００ｎｍの光を用い、ＯＣＴ光学系８が１０００ｎｍ〜１１００ｎｍの光を用いるものとする。
【００３１】
なお、レフ測定光学系が７８０ｎｍを含む波長範囲の光を用い、ＯＣＴ光学系８が８６０ｎｍ含む波長範囲の光を用いてもよい。この場合、例えば、前眼部観察系５が９４０ｎｍ〜１０００ｎｍの光を用い、レフ測定光学系が７６０ｎｍ〜８００ｎｍの光を用い、固視投影系４が４００ｎｍ〜７００ｎｍの光を用い、ＯＣＴ光学系８が８１０ｎｍ〜８９０ｎｍの光を用いることができる。
【００３２】
（前眼部観察系５）
前眼部観察系５は、被検眼Ｅの前眼部を動画撮影する。前眼部観察系５を経由する光学系において、撮像素子５９の撮像面は瞳孔共役位置に配置されている。前眼部照明光源５０は、被検眼Ｅの前眼部に照明光（例えば、赤外光）を照射する。被検眼Ｅの前眼部により反射された光は、対物レンズ５１を通過し、ダイクロイックミラー５２を透過し、絞り（テレセン絞り）５３に形成された孔部を通過し、ハーフミラー２３を透過し、リレーレンズ５５及び５６を通過し、ダイクロイックミラー７６を透過する。ダイクロイックミラー５２は、レフ測定光学系の光路と前眼部観察系５の光路とを合成（分離）する。ダイクロイックミラー５２は、これらの光路を合成する光路合成面が対物レンズ５１の光軸に対して傾斜して配置される。ダイクロイックミラー７６を透過した光は、結像レンズ５８により撮像素子５９（エリアセンサー）の撮像面に結像される。撮像素子５９は、所定のレートで撮像及び信号出力を行う。撮像素子５９の出力（映像信号）は、後述の処理部９に入力される。処理部９は、この映像信号に基づく前眼部像Ｅ´を後述の表示部１０の表示画面１０ａに表示させる。前眼部像Ｅ´は、例えば赤外動画像である。
【００３３】
（Ｚアライメント系１）
Ｚアライメント系１は、前眼部観察系５の光軸方向（前後方向、Ｚ方向）におけるアライメントを行うための光（赤外光）を被検眼Ｅに投射する。Ｚアライメント光源１１から出力された光は、被検眼Ｅの角膜Ｃｒに投射され、角膜Ｃｒにより反射され、結像レンズ１２によりラインセンサー１３のセンサー面に結像される。角膜頂点の位置が前眼部観察系５の光軸方向に変化すると、ラインセンサー１３のセンサー面における光の投射位置が変化する。処理部９は、ラインセンサー１３のセンサー面における光の投射位置に基づいて被検眼Ｅの角膜頂点の位置を求め、これに基づき光学系を移動させる機構を制御してＺアライメントを実行する。
【００３４】
（ＸＹアライメント系２）
ＸＹアライメント系２は、前眼部観察系５の光軸に直交する方向（左右方向（Ｘ方向）、上下方向（Ｙ方向））のアライメントを行うための光（赤外光）を被検眼Ｅに照射する。ＸＹアライメント系２は、ハーフミラー２３により前眼部観察系５の光路から分岐された光路に設けられたＸＹアライメント光源２１とコリメータレンズ２２とを含む。ＸＹアライメント光源２１から出力された光は、コリメータレンズ２２を通過し、ハーフミラー２３により反射され、前眼部観察系５を通じて被検眼Ｅに投射される。被検眼Ｅの角膜Ｃｒによる反射光は、前眼部観察系５を通じて撮像素子５９に導かれる。
【００３５】
この反射光に基づく像（輝点像）Ｂｒは前眼部像Ｅ´に含まれる。処理部９は、輝点像Ｂｒを含む前眼部像Ｅ´とアライメントマークＡＬとを表示部の表示画面に表示させる。手動でＸＹアライメントを行う場合、ユーザは、アライメントマークＡＬ内に輝点像Ｂｒを誘導するように光学系の移動操作を行う。自動でアライメントを行う場合、処理部９は、アライメントマークＡＬに対する輝点像Ｂｒの変位がキャンセルされるように、光学系を移動させる機構を制御する。
【００３６】
（ケラト測定系３）
ケラト測定系３は、被検眼Ｅの角膜Ｃｒの形状を測定するためのリング状光束（赤外光）を角膜Ｃｒに投射する。ケラト板３１は、対物レンズ５１と被検眼Ｅとの間に配置されている。ケラト板３１の背面側（対物レンズ５１側）にはケラトリング光源３２が設けられている。ケラト板３１には、対物レンズ５１の光軸を中心とする円周上に沿ってケラトリング光源３２からの光を透過するケラトパターン（透過部）が形成されている。なお、ケラトパターンは、対物レンズ５１の光軸を中心とする円弧状（円周の一部）に形成されていてもよい。ケラトリング光源３２からの光でケラト板３１を照明することにより、被検眼Ｅの角膜Ｃｒにリング状光束（円弧状又は円周状の測定パターン）が投射される。被検眼Ｅの角膜Ｃｒからの反射光（ケラトリング像）は撮像素子５９により前眼部像Ｅ´とともに検出される。処理部９は、このケラトリング像を基に公知の演算を行うことで、角膜Ｃｒの形状を表す角膜形状パラメータを算出する。
【００３７】
（レフ測定投射系６、レフ測定受光系７）
レフ測定光学系は、屈折力測定に用いられるレフ測定投射系６及びレフ測定受光系７を含む。レフ測定投射系６は、屈折力測定用の光束（例えば、リング状光束）（赤外光）を眼底Ｅｆに投射する。レフ測定受光系７は、この光束の被検眼Ｅからの戻り光を受光する。レフ測定投射系６は、レフ測定受光系７の光路に設けられた孔開きプリズム６５によって分岐された光路に設けられる。孔開きプリズム６５に形成されている孔部は、瞳孔共役位置に配置される。レフ測定受光系７を経由する光学系において、撮像素子５９の撮像面は眼底共役位置に配置される。
【００３８】
いくつかの実施形態では、レフ測定光源６１は、高輝度光源であるＳＬＤ（Ｓｕｐｅｒｌｕｍｉｎｅｓｃｅｎｔ  Ｄｉｏｄｅ）光源である。レフ測定光源６１は、光軸方向に移動可能である。レフ測定光源６１は、眼底共役位置に配置される。レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、リング絞り６４にリング状に形成された透光部を通過する。リング絞り６４の透光部を通過した光（リング状光束）は、孔開きプリズム６５の孔部の周囲に形成された反射面により反射され、ロータリープリズム６６を通過し、ダイクロイックミラー６７により反射される。ダイクロイックミラー６７により反射された光は、ダイクロイックミラー５２により反射され、対物レンズ５１を通過し、被検眼Ｅに投射される。ロータリープリズム６６は、眼底Ｅｆの血管や疾患部位に対するリング状光束の光量分布を平均化や光源に起因するスペックルノイズの低減のために用いられる。
【００３９】
眼底Ｅｆに投射されたリング状光束の戻り光は、対物レンズ５１を通過し、ダイクロイックミラー５２及びダイクロイックミラー６７により反射される。ダイクロイックミラー６７により反射された戻り光は、ロータリープリズム６６を通過し、孔開きプリズム６５の孔部を通過し、リレーレンズ７１を通過し、反射ミラー７２により反射され、リレーレンズ７３及び合焦レンズ７４を通過する。合焦レンズ７４は、レフ測定受光系７の光軸に沿って移動可能である。合焦レンズ７４を通過した光は、反射ミラー７５により反射され、ダイクロイックミラー７６により反射され、結像レンズ５８により撮像素子５９の撮像面に結像される。処理部９は、撮像素子５９からの出力を基に公知の演算を行うことで被検眼Ｅの屈折力値を算出する。例えば、屈折力値は、球面度数、乱視度数及び乱視軸角度、又は等価球面度数を含む。
【００４０】
（固視投影系４）
ダイクロイックミラー６７によりレフ測定光学系の光路から波長分離された光路に、後述のＯＣＴ光学系８が設けられる。ダイクロイックミラー８３によりＯＣＴ光学系８の光路から分岐された光路に固視投影系４が設けられる。
【００４１】
固視投影系４は、固視標を被検眼Ｅに呈示する。固視投影系４は、レフ測定用の固視標（視標）とＯＣＴ計測用の固視標とを被検眼Ｅに同時に呈示することが可能である。固視投影系４の光路には、固視ユニット４０が配置されている。固視ユニット４０は、後述の処理部９からの制御を受け、固視投影系４の光路に沿って移動可能である。ダイクロイックミラー８３と固視ユニット４０との間に、リレーレンズ４４が配置されている。
【００４２】
固視ユニット４０は、第１固視標投影系４１Ａと、第２固視標投影系４１Ｂと、ハーフミラー４２Ａとを含む。第１固視標投影系４１Ａは、レフ測定用の固視標を被検眼Ｅに投影する。第２固視標投影系４１Ｂは、ＯＣＴ計測用の固視標を被検眼Ｅに投影する。ハーフミラー４２Ａは、第１固視標投影系４１Ａの光路に第２固視標投影系４１Ｂの光路を結合する。
【００４３】
レフ測定では、被検眼Ｅの遠見時の屈折力を測定するため、被検眼Ｅに視力調節させないように固視標が呈示される。具体的には、レフ測定では、被検眼Ｅができるだけ遠くを見ている状態にしたり、器械近視の影響を低減したりすることが可能な、視角の大きい固視標が用いられる。このようなレフ測定用の固視標として、例えば、風景チャートなどが用いられる。第１固視標投影系４１Ａは、レフ測定用の固視標が表示された視標チャート４３Ａを含む。例えば、視標チャート４３Ａは、透過型であり、背面側に設けられた照明用光源から光が照射される。いくつかの実施形態では、視標チャート４３Ａに代えて、処理部９からの制御を受けレフ測定用の固視標を表すパターンを表示可能な液晶パネルが設けられる。
【００４４】
レフ測定が行われるとき、固視ユニット４０を固視投影系４の光路に沿って移動させることにより、被検眼Ｅを雲霧させる位置に視標チャート４３Ａが配置される。
【００４５】
ＯＣＴ計測では、計測部位や計測目的に応じて被検眼Ｅにおける所望の部位を所定の計測位置に配置させるように固視標が呈示される。具体的には、ＯＣＴ計測では、被検眼Ｅが所望の方向に所定の時間だけ固視を継続することが可能な、視角の小さい固視標が用いられる。このようなＯＣＴ計測用の固視標として、例えば、輝点（ドット視標）やクロス視標などが用いられる。すなわち、ＯＣＴ計測用の固視標の視角は、レフ測定用の固視標の視角より狭い。第２固視標投影系４１Ｂは、ＯＣＴ計測用の輝点を投影するための固視光源（点光源）を含む。いくつかの実施形態では、固視光源に代えて、処理部９からの制御を受けＯＣＴ計測用の固視標を表すパターンを表示可能な液晶パネルが設けられる。
【００４６】
ＯＣＴ計測が行われるとき、第１固視標投影系４１Ａとは独立に、固視光源が眼底共役位置に配置される。いくつかの実施形態では、固視光源が第２固視標投影系４１Ｂの光路に沿って移動される。いくつかの実施形態では、ハーフミラー４２Ａと固視光源との間に配置されたレンズが第２固視標投影系４１Ｂの光路に沿って移動される。固視光源により被検眼Ｅに投影される輝点のスポットサイズが十分に小さい場合、固視光源は第１固視標投影系４１Ａと一体的に移動されてもよい。
【００４７】
固視標を表すパターンを表示する液晶パネルが用いられる場合、処理部９による制御を受け、液晶パネルの画面上におけるパターンの表示位置を変更することにより、被検眼Ｅの固視位置を変更できる。被検眼Ｅの固視位置としては、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。固視標を表すパターンの表示位置を任意に変更することが可能である。
【００４８】
第１固視標投影系４１Ａからのレフ測定用の固視標を投影するための光（固視光束）と第２固視標投影系４１Ｂからのレフ測定用の固視標を投影するための光とは、ハーフミラー４２Ａにより合成される。ハーフミラー４２Ａによる合成光は、リレーレンズ４４を通過し、ダイクロイックミラー８３を透過し、リレーレンズ８２を通過し、反射ミラー８１により反射され、ダイクロイックミラー６７を透過し、ダイクロイックミラー５２により反射される。ダイクロイックミラー５２により反射された光は、対物レンズ５１を通過して眼底Ｅｆに投射される。
【００４９】
（ＯＣＴ光学系８）
ＯＣＴ光学系８は、ＯＣＴ計測を行うための光学系である。ＯＣＴ計測よりも前に実施されたレフ測定結果に基づいて、光ファイバーｆ１の端面が撮影部位（眼底Ｅｆ又は前眼部）と光学系に共役となるように合焦レンズ８７の位置が調整される。
【００５０】
ＯＣＴ光学系８は、ダイクロイックミラー６７によりレフ測定光学系の光路から波長分離された光路に設けられる。上記の固視投影系４の光路は、ダイクロイックミラー８３によりＯＣＴ光学系８の光路に結合される。それにより、ＯＣＴ光学系８及び固視投影系４のそれぞれの光軸を同軸で結合することができる。
【００５１】
ＯＣＴ光学系８は、ＯＣＴユニット１００を含む。図２に示すように、ＯＣＴユニット１００において、ＯＣＴ光源１０１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザー光源を含んで構成される。ＯＣＴ光源１０１は、人眼では視認できない近赤外の波長帯において、出力波長を時間的に変化させる。
【００５２】
図２に例示するように、ＯＣＴユニット１００には、スウェプトソースＯＣＴを実行するための光学系が設けられている。この光学系は、干渉光学系を含む。この干渉光学系は、波長可変光源（波長掃引型光源）からの光を測定光と参照光とに分割する機能と、被検眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを示す信号であり、処理部９に送られる。
【００５３】
ＯＣＴ光源１０１は、例えば、出射光の波長を高速で変化させる近赤外波長可変レーザーを含む。ＯＣＴ光源１０１から出力された光Ｌ０は、光ファイバー１０２により偏波コントローラ１０３に導かれてその偏光状態が調整される。偏光状態が調整された光Ｌ０は、光ファイバー１０４によりファイバーカプラー１０５に導かれて測定光ＬＳと参照光ＬＲとに分割される。
【００５４】
参照光ＬＲは、光ファイバー１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００５５】
コーナーキューブ１１４を経由した参照光ＬＲは、分散補償部材１１３及び光路長補正部材１１２を経由し、コリメータ１１６によって平行光束から集束光束に変換され、光ファイバー１１７に入射する。光ファイバー１１７に入射した参照光ＬＲは、偏波コントローラ１１８に導かれてその偏光状態が調整され、光ファイバー１１９によりアッテネータ１２０に導かれて光量が調整され、光ファイバー１２１によりファイバーカプラー１２２に導かれる。
【００５６】
一方、ファイバーカプラー１０５により生成された測定光ＬＳは、光ファイバーｆ１により導かれてコリメータレンズユニット８９により平行光束に変換され、光スキャナー８８、合焦レンズ８７、リレーレンズ８５、及び反射ミラー８４を経由し、ダイクロイックミラー８３により反射される。
【００５７】
光スキャナー８８は、測定光ＬＳを１次元的又は２次元的に偏向する。光スキャナー８８は、例えば、第１ガルバノミラーと、第２ガルバノミラーとを含む。第１ガルバノミラーは、ＯＣＴ光学系８の光軸に直交する水平方向に撮影部位（眼底Ｅｆ又は前眼部）をスキャンするように測定光ＬＳを偏向する。第２ガルバノミラーは、ＯＣＴ光学系８の光軸に直交する垂直方向に撮影部位をスキャンするように、第１ガルバノミラーにより偏向された測定光ＬＳを偏向する。このような光スキャナー８８による測定光ＬＳの走査態様としては、例えば、水平スキャン、垂直スキャン、十字スキャン、放射スキャン、円スキャン、同心円スキャン、螺旋スキャンなどがある。
【００５８】
ダイクロイックミラー８３により反射された測定光ＬＳは、リレーレンズ８２を通過し、反射ミラー８１により反射され、ダイクロイックミラー６７を透過し、ダイクロイックミラー５２により反射され、対物レンズ５１により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバーカプラー１０５に導かれ、光ファイバー１２８を経由してファイバーカプラー１２２に到達する。
【００５９】
ファイバーカプラー１２２は、光ファイバー１２８を介して入射された測定光ＬＳと、光ファイバー１２１を介して入射された参照光ＬＲとを合成して（干渉させて）干渉光を生成する。ファイバーカプラー１２２は、所定の分岐比（例えば１：１）で干渉光を分岐することにより、一対の干渉光ＬＣを生成する。一対の干渉光ＬＣは、それぞれ光ファイバー１２３及び１２４を通じて検出器１２５に導かれる。
【００６０】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をＤＡＱ（Ｄａｔａ  Ａｃｑｕｉｓｉｔｉｏｎ  Ｓｙｓｔｅｍ）１３０に送る。
【００６１】
ＤＡＱ１３０には、ＯＣＴ光源１０１からクロックＫＣが供給される。クロックＫＣは、ＯＣＴ光源１０１において、波長可変光源により所定の波長範囲内で掃引される各波長の出力タイミングに同期して生成される。ＯＣＴ光源１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果を処理部９の演算処理部２２０に送られる。演算処理部２２０は、例えば一連の波長走査毎に（Ａライン毎に）、サンプリングデータに基づくスペクトル分布にフーリエ変換等を施すことにより、各Ａラインにおける反射強度プロファイルを形成する。更に、演算処理部２２０は、各Ａラインの反射強度プロファイルを画像化することにより画像データを形成する。
【００６２】
本例では、参照光ＬＲの光路（参照光路、参照アーム）の長さを変更するためのコーナーキューブ１１４が設けられているが、これら以外の光学部材を用いて、測定光路長と参照光路長との差を変更することも可能である。
【００６３】
処理部９は、レフ測定光学系を用いて得られた測定結果から屈折力値を算出し、算出された屈折力値に基づいて、眼底Ｅｆとレフ測定光源６１と撮像素子５９とが共役となる位置に、レフ測定光源６１及び合焦レンズ７４それぞれを光軸方向に移動させる。いくつかの実施形態では、処理部９は、合焦レンズ７４の移動に連動してＯＣＴ光学系８の合焦レンズ８７をその光軸方向に移動させる。いくつかの実施形態では、処理部９は、レフ測定光源６１及び合焦レンズ７４の移動に連動して固視ユニット４０をその光軸方向に移動させる。
【００６４】
＜処理系の構成＞
眼科装置１０００の処理系の構成について説明する。眼科装置１０００の処理系の機能的構成の例を図３に示す。図３は、眼科装置１０００の処理系の機能ブロック図の一例を表す。
【００６５】
処理部９は、眼科装置１０００の各部を制御する。また、処理部９は、各種演算処理を実行可能である。処理部９は、プロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００６６】
処理部９は、制御部２１０と、演算処理部２２０とを含む。また、眼科装置１０００は、移動機構２００と、表示部２７０と、操作部２８０と、通信部２９０とを含む。
【００６７】
移動機構２００は、Ｚアライメント系１、ＸＹアライメント系２、ケラト測定系３、固視投影系４、前眼部観察系５、レフ測定投射系６、レフ測定受光系７及びＯＣＴ光学系８等の光学系が収納されたヘッド部を前後左右方向に移動させるための機構である。例えば、移動機構２００には、ヘッド部を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部２１０（主制御部２１１）は、アクチュエータに対して制御信号を送ることにより移動機構２００に対する制御を行う。
【００６８】
（制御部２１０）
制御部２１０は、プロセッサを含み、眼科装置の各部を制御する。制御部２１０は、主制御部２１１と、記憶部２１２とを含む。記憶部２１２には、眼科装置を制御するためのコンピュータプログラムがあらかじめ格納される。コンピュータプログラムには、光源制御用プログラム、検出器制御用プログラム、光スキャナー制御用プログラム、光学系制御用プログラム、演算処理用プログラム及びユーザインターフェイス用プログラムなどが含まれる。このようなコンピュータプログラムに従って主制御部２１１が動作することにより、制御部２１０は制御処理を実行する。
【００６９】
主制御部２１１は、測定制御部として眼科装置の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部２１１は、ラインセンサー１３により検出された信号を取り込み、取り込まれた信号に基づいてラインセンサー１３に対する光の投影位置を特定する。主制御部２１１は、特定された投影位置に基づいて被検眼Ｅの角膜頂点の位置を求め、これに基づき移動機構２００を制御してヘッド部を前後方向に移動させる（Ｚアライメント）。
【００７０】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部２１１は、撮像素子５９により検出された信号を取り込み、取り込まれた信号に基づいてＸＹアライメント光源２１からの光の戻り光に基づく輝点像の位置を特定する。主制御部２１１は、所定の目標位置（例えば、アライメントマークＡＬの中心位置）に対する輝点像Ｂｒの位置との変位がキャンセルされるように移動機構２００を制御してヘッド部を左右上下方向に移動させる（ＸＹアライメント）。
【００７１】
ケラト測定系３に対する制御には、ケラトリング光源３２の制御などがある。ケラトリング光源３２の制御には、光源の点灯、消灯、光量調整、絞り調整などがある。それにより、ケラトリング光源３２の点灯と非点灯とが切り替えられたり、光量が変更されたりする。主制御部２１１は、撮像素子５９により検出されたケラトリング像に対する公知の演算を演算処理部２２０に実行させる。それにより、被検眼Ｅの角膜形状パラメータが求められる。
【００７２】
固視投影系４に対する制御には、固視ユニット４０の制御などがある。固視ユニット４０の制御には、固視ユニット４０に対する移動制御、第１固視標投影系４１Ａに対する制御、第２固視標投影系４１Ｂに対する制御などがある。
【００７３】
固視投影系４には、固視ユニット４０を光軸方向に移動する移動機構が設けられる。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、固視ユニット４０を光軸方向に移動させる。それにより、例えば、視標チャート４３Ａと眼底Ｅｆとが光学的に共役となるように視標チャート４３Ａの位置が調整された後、所定のシフト分（ディオプター分）だけ移動することで被検眼Ｅを雲霧させる位置に視標チャート４３Ａを配置することができる。また、第２固視標投影系４１Ｂに含まれる固視光源も、同様に、主制御部２１１からの制御を受け視標チャート４３Ａとは独立に移動される。
【００７４】
第１固視標投影系４１Ａに対する制御には、視標チャートを照射する照明用光源のオン・オフや光量変更などがある。第１固視標投影系４１Ａが液晶パネルを含む場合、第１固視標投影系４１Ａに対する制御には、固視標を表すパターンの表示のオン・オフや、検査や測定の種別に応じた固視標を表すパターンの切り替えや、固視標を表すパターンの表示位置の切り替えなどがある。第２固視標投影系４１Ｂに対する制御には、輝点を投影するための固視光源のオン・オフや光量変更などがある。第２固視標投影系４１Ｂが液晶パネルを含む場合、第２固視標投影系４１Ｂに対する制御には、固視標を表すパターンの表示のオン・オフや、検査や測定の種別に応じた固視標を表すパターンの切り替えや、固視標を表すパターンの表示位置の切り替えなどがある。
【００７５】
図４Ａ〜図４Ｃに、第１実施形態に係る固視投影系４により被検眼Ｅに投影される固視標の説明図を示す。図４Ａは、第１固視標投影系４１Ａにより被検眼Ｅに投影されるレフ測定用の固視標の説明図を表す。図４Ｂは、第２固視標投影系４１Ｂにより被検眼Ｅに投影されるＯＣＴ計測用の固視標の説明図を表す。図４Ｃは、レフ測定とＯＣＴ計測とが同時に実行される被検眼Ｅに対して呈示される固視標の説明図を表す。
【００７６】
主制御部２１１は、レフ測定光学系及びＯＣＴ光学系８を制御することにより、被検眼Ｅに対してレフ測定とＯＣＴ計測とを同時に実行することが可能である。このとき、主制御部２１１は、第１固視標投影系４１Ａを制御して被検眼Ｅを雲霧させる位置から図４Ａに示す固視標ＦＴ１を被検眼Ｅに投影させ、第２固視標投影系４１Ｂを制御して眼底共役位置から図４Ｂに示す固視標ＦＴ２を被検眼Ｅに投影させる。固視標ＦＴ１は、風景チャートである。固視標ＦＴ２は、固視標ＦＴ１より視角が小さい輝点（ドット視標）である。いくつかの実施形態では、固視標ＦＴ２は、固視標ＦＴ１より視角が小さいクロス視標である。
【００７７】
従って、レフ測定とＯＣＴ計測とが同時に実行される被検眼Ｅに対して、図４Ｃに示すような固視標ＦＴ３が呈示される。固視標ＦＴ３は、風景チャートの所定の位置に輝点ＢＰ１が重畳された視標である。これにより、レフ測定が行われる被検眼Ｅに対して視力調節させないように固視標を呈示させ、ＯＣＴ計測が行われる被検眼Ｅに対して所望の部位を所定の計測位置に配置させるように固視標を呈示させることができる。
【００７８】
いくつかの実施形態では、主制御部２１１は、第２固視標投影系４１Ｂを制御することにより固視標ＦＴ２の呈示状態を変更する。呈示状態の変更には、固視標ＦＴ２（輝点ＢＰ１）の点滅、固視標ＦＴ２の輝度の時間的な変化、固視標ＦＴ２による呈示位置の移動などがある。
【００７９】
図３に示すように、前眼部観察系５に対する制御には、前眼部照明光源５０の制御、撮像素子５９の制御などがある。前眼部照明光源５０の制御には、光源の点灯、消灯、光量調整、絞り調整などがある。それにより、前眼部照明光源５０の点灯と非点灯とが切り替えられたり、光量が変更されたりする。撮像素子５９の制御には、撮像素子５９の露光調整やゲイン調整や検出レート調整などがある。主制御部２１１は、撮像素子５９により検出された信号を取り込み、取り込まれた信号に基づく画像の形成等の処理を演算処理部２２０に実行させる。
【００８０】
レフ測定投射系６に対する制御には、レフ測定光源６１の制御、ロータリープリズム６６の制御などがある。レフ測定光源６１の制御には、光源の点灯、消灯、光量調整、絞り調整などがある。それにより、レフ測定光源６１の点灯と非点灯とが切り替えられたり、光量が変更されたりする。例えば、レフ測定投射系６は、レフ測定光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、レフ測定光源６１を光軸方向に移動させる。ロータリープリズム６６の制御には、ロータリープリズム６６の回転制御などがある。例えば、ロータリープリズム６６を回転させる回転機構が設けられており、主制御部２１１は、この回転機構を制御することによりロータリープリズム６６を回転させる。
【００８１】
レフ測定受光系７に対する制御には、合焦レンズ７４の制御などがある。合焦レンズ７４の制御には、合焦レンズ７４の光軸方向への移動制御などがある。例えば、レフ測定受光系７は、合焦レンズ７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ７４を光軸方向に移動させる。主制御部２１１は、レフ測定光源６１と眼底Ｅｆと撮像素子５９とが光学的に共役となるように、例えば被検眼Ｅの屈折力に応じてレフ測定光源６１及び合焦レンズ７４をそれぞれ光軸方向に移動させることが可能である。
【００８２】
ＯＣＴ光学系８に対する制御には、ＯＣＴ光源１０１の制御、光スキャナー８８の制御、合焦レンズ８７の制御、コーナーキューブ１１４の制御、検出器１２５の制御、ＤＡＱ１３０の制御などがある。ＯＣＴ光源１０１の制御には、光源の点灯、消灯、光量調整、絞り調整などがある。光スキャナー８８の制御には、第１ガルバノミラーによる走査位置や走査範囲や走査速度の制御、第２ガルバノミラーによる走査位置や走査範囲や走査速度の制御などがある。
【００８３】
合焦レンズ８７の制御には、合焦レンズ８７の光軸方向への移動制御、撮影部位に対応した合焦基準位置への合焦レンズ８７の移動制御、撮影部位に対応した移動範囲（合焦範囲）内での移動制御などがある。例えば、ＯＣＴ光学系８は、合焦レンズ８７を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ８７を光軸方向に移動させる。いくつかの実施形態では、眼科装置には、合焦レンズ７４及び８７を保持する保持部材と、保持部材を駆動する駆動部が設けられる。主制御部２１１は、駆動部を制御することにより合焦レンズ７４及び８７の移動制御を行う。主制御部２１１は、例えば、合焦レンズ７４の移動に連動して合焦レンズ８７を移動させた後、干渉信号の強度に基づいて合焦レンズ８７だけを移動させるようにしてもよい。
【００８４】
コーナーキューブ１１４の制御には、コーナーキューブ１１４の光路に沿った移動制御などがある。例えば、ＯＣＴ光学系８は、コーナーキューブ１１４を光路に沿った方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、コーナーキューブ１１４を光路に沿った方向に移動させる。検出器１２５の制御には、検出素子の露光調整やゲイン調整や検出レート調整などがある。主制御部２１１は、検出器１２５により検出された信号をＤＡＱ１３０によりサンプリングし、サンプリングされた信号に基づく画像の形成等の処理を演算処理部２２０（画像形成部２２２）に実行させる。
【００８５】
また、主制御部２１１は、記憶部２１２にデータを書き込む処理や、記憶部２１２からデータを読み出す処理を行う。
【００８６】
（記憶部２１２）
記憶部２１２は、各種のデータを記憶する。記憶部２１２に記憶されるデータとしては、例えば他覚測定の測定結果、断層像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科装置を動作させるための各種プログラムやデータが記憶されている。
【００８７】
（演算処理部２２０）
演算処理部２２０は、眼屈折力算出部２２１と、画像形成部２２２と、データ処理部２２３とを含む。
【００８８】
眼屈折力算出部２２１は、レフ測定投射系６により眼底Ｅｆに投影されたリング状光束（リング状の測定パターン）の戻り光を撮像素子５９が受光することにより得られたリング像（パターン像）を解析する。例えば、眼屈折力算出部２２１は、得られたリング像が描出された画像における輝度分布からリング像の重心位置を求め、この重心位置から放射状に延びる複数の走査方向に沿った輝度分布を求め、この輝度分布からリング像を特定する。続いて、眼屈折力算出部２２１は、特定されたリング像の近似楕円を求め、この近似楕円の長径及び短径を公知の式に代入することによって球面度数、乱視度数及び乱視軸角度を求める。或いは、眼屈折力算出部２２１は、基準パターンに対するリング像の変形及び変位に基づいて眼屈折力のパラメータを求めることができる。
【００８９】
また、眼屈折力算出部２２１は、前眼部観察系５により取得されたケラトリング像に基づいて、角膜屈折力、角膜乱視度及び角膜乱視軸角度を算出する。例えば、眼屈折力算出部２２１は、ケラトリング像を解析することにより角膜前面の強主経線や弱主経線の角膜曲率半径を算出し、角膜曲率半径に基づいて上記パラメータを算出する。
【００９０】
画像形成部２２２は、検出器１１５により検出された信号に基づいて、眼底Ｅｆの断層像の画像データを形成する。すなわち、画像形成部２２２は、干渉光学系による干渉光ＬＣの検出結果に基づいて被検眼Ｅの画像データを形成する。この処理には、従来のスペクトラルドメインタイプのＯＣＴと同様に、フィルター処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００９１】
画質を向上させるために、同じパターンでのスキャンを複数回繰り返して収集された複数のデータセットを重ね合わせる（加算平均する）ことができる。
【００９２】
データ処理部２２３は、画像形成部２２２により形成された断層像に対して各種のデータ処理（画像処理）や解析処理を施す。例えば、データ処理部２２３は、画像の輝度補正や分散補正等の補正処理を実行する。また、データ処理部２２３は、前眼部観察系５を用い得られた画像（前眼部像等）に対して各種の画像処理や解析処理を施す。
【００９３】
データ処理部２２３は、断層像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２２３は、このボリュームデータに対してレンダリング処理を施して、特定の視線方向から見たときの擬似的な３次元画像を形成する。
【００９４】
データ処理部２２３は、取得されたボリュームデータ（３次元データセット、スタックデータ等）に各種のレンダリングを施すことで、任意断面におけるＢモード画像（縦断面像、軸方向断面像）、任意断面におけるＣモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（Ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像（ｅｎ−ｆａｃｅ画像）と呼ぶ。
【００９５】
また、データ処理部２２３は、ＯＣＴにより時系列に収集されたデータ（例えば、Ｂスキャン画像データ）に基づいて、網膜血管や脈絡膜血管が強調されたＢモード画像や正面画像（血管強調画像、アンギオグラム）を構築することができる。例えば、被検眼Ｅの略同一部位を反復的にスキャンすることにより、時系列のＯＣＴデータを収集することができる。
【００９６】
いくつかの実施形態では、データ処理部２２３は、略同一部位に対するＢスキャンにより得られた時系列のＢスキャン画像を比較し、信号強度の変化部分の画素値を変化分に対応した画素値に変換することにより当該変化部分が強調された強調画像を構築する。更に、データ処理部２２３は、構築された複数の強調画像から所望の部位における所定の厚さ分の情報を抽出してｅｎ−ｆａｃｅ画像として構築することでＯＣＴアンギオグラムを形成する。
【００９７】
更に、データ処理部２２３は、判定部として、ＯＣＴ計測により得られた干渉光の検出結果を解析してフォーカス調整における測定光ＬＳのフォーカス状態を判定することが可能である。例えば、主制御部２１１は、合焦レンズ８７を所定のアルゴリズムにしたがって移動制御しつつ、反復的なＯＣＴ計測を行う。データ処理部２２３は、ＯＣＴ計測により繰り返し取得される干渉光ＬＣの検出結果を解析することで、ＯＣＴ計測により得られた画像（ＯＣＴ画像）の画質に関する所定の評価値を算出する。データ処理部２２３は、算出された評価値が閾値以下であるか否か判定する。いくつかの実施形態では、フォーカス調整は、算出される評価値が閾値以下になるまで継続される。すなわち、評価値が閾値以下であるとき測定光ＬＳのフォーカス状態が適正であると判断され、フォーカス調整は、測定光ＬＳのフォーカス状態が適正であると判断されるまで継続される。
【００９８】
いくつかの実施形態では、主制御部２１１は、上記のような反復的なＯＣＴ計測を行って干渉信号を取得しつつ、逐次に取得される干渉信号の強度（干渉強度、干渉感度）をモニタする。更に、このモニタ処理を行いながら、合焦レンズ８７を移動させることにより、干渉強度が最大となるような合焦レンズ８７の位置を探索する。このようなフォーカス調整によれば、干渉強度が最適化されるような位置に合焦レンズ８７を移動させることができる。
【００９９】
また、データ処理部２２３は、判定部として、ＯＣＴ計測により得られた干渉光の検出結果を解析して、測定光ＬＳ及び参照光ＬＲの少なくとも一方の偏波状態を判定することが可能である。例えば、主制御部２１１は、偏波コントローラ１０３、１１８の少なくとも一方を所定のアルゴリズムにしたがって制御しつつ、反復的なＯＣＴ計測を行う。いくつかの実施形態では、主制御部２１１は、アッテネータ１２０を制御して、参照光ＬＲの減衰量を変更する。データ処理部２２３は、ＯＣＴ計測により繰り返し取得される干渉光ＬＣの検出結果を解析することで、ＯＣＴ画像の画質に関する所定の評価値を算出する。データ処理部２２３は、算出された評価値が閾値以下であるか否か判定する。この閾値はあらかじめ設定される。偏波調整は、算出される評価値が閾値以下になるまで継続される。すなわち、評価値が閾値以下であるとき測定光ＬＳの偏波状態が適正であると判断され、偏波調整は、測定光ＬＳの偏波状態が適正であると判断されるまで継続される。
【０１００】
いくつかの実施形態では、主制御部２１１は、偏波調整においても干渉強度をモニタすることが可能である。
【０１０１】
更に、データ処理部２２３は、解析部として、ＯＣＴ計測により得られた干渉光の検出結果、又は当該検出結果に基づいて形成されたＯＣＴ画像に対して所定の解析処理を行う。所定の解析処理には、被検眼Ｅにおける所定の部位（組織、病変部）の特定；指定された部位間の距離（層間距離）、面積、角度、比率、密度の算出；指定された計算式による演算；所定の部位の形状の特定；これらの統計値の算出；計測値、統計値の分布の算出；これら解析処理結果に基づく画像処理などがある。所定の組織には、血管、視神経乳頭、中心窩、黄斑などがある。所定の病変部には、白斑、出血などがある。
【０１０２】
以上のように機能するデータ処理部２２３は、例えば、前述のマイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【０１０３】
（表示部２７０、操作部２８０）
表示部２７０は、ユーザインターフェイス部として、制御部２１０による制御を受けて情報を表示する。表示部２７０は、図１などに示す表示部１０を含む。
【０１０４】
操作部２８０は、ユーザインターフェイス部として、眼科装置を操作するために使用される。操作部２８０は、眼科装置に設けられた各種のハードウェアキー（ジョイスティック、ボタン、スイッチなど）を含む。また、操作部２８０は、タッチパネル式の表示画面１０ａに表示される各種のソフトウェアキー（ボタン、アイコン、メニューなど）を含んでもよい。
【０１０５】
表示部２７０及び操作部２８０の少なくとも一部が一体的に構成されていてもよい。その典型例として、タッチパネル式の表示画面１０ａがある。
【０１０６】
（通信部２９０）
通信部２９０は、図示しない外部装置と通信するための機能を有する。通信部２９０は、外部装置との接続形態に応じた通信インターフェイスを備える。外部装置の例として、レンズの光学特性を測定するための眼鏡レンズ測定装置がある。眼鏡レンズ測定装置は、被検者が装用する眼鏡レンズの度数などを測定し、この測定データを眼科装置１０００に入力する。また、外部装置は、任意の眼科装置、記録媒体から情報を読み取る装置（リーダ）や、記録媒体に情報を書き込む装置（ライタ）などでもよい。更に、外部装置は、病院情報システム（ＨＩＳ）サーバ、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）サーバ、医師端末、モバイル端末、個人端末、クラウドサーバなどでもよい。通信部２９０は、例えば処理部９に設けられていてもよい。
【０１０７】
＜動作例＞
第１実施形態に係る眼科装置１０００の動作について説明する。
【０１０８】
図５に、眼科装置１０００の動作の一例を示す。図５は、レフ測定とＯＣＴ計測とを同時に実行する場合の眼科装置１０００の動作例のフロー図を表す。なお、図５は、レフ測定及びＯＣＴ計測のそれぞれの動作例だけではなく、同時に実行されるレフ測定及びＯＣＴ計測のそれぞれの各ステップの実行タイミングも模式的に表す。記憶部２１２には、図５に示す処理を実現するためのコンピュータプログラムが記憶されている。主制御部２１１は、このコンピュータプログラムに従って動作することにより、図５に示す処理を実行する。
【０１０９】
（ＳＱ１：固視標の呈示を開始）
図示しない顔受け部に被検者の顔が固定された状態で、検者が操作部２８０に対して所定の操作を行うことで、時刻Ｔ１において、眼科装置１０００は、被検眼Ｅに対してレフ測定用の固視標とＯＣＴ計測用の固視標の呈示を同時に開始させる。
【０１１０】
具体的には、主制御部２１１は、第１固視標投影系４１Ａ及び第２固視標投影系４１Ｂを制御することにより図４Ａ及び図４Ｂに示す固視標ＦＴ１、ＦＴ２の呈示を略同時に開始させる。それにより、被検眼Ｅには、図４Ｃに示す固視標ＦＴ３の呈示が開始される。
【０１１１】
（ＳＱ２：アライメント）
続いて、時刻Ｔ２において、主制御部２１１は、アライメントを実行する。
【０１１２】
具体的には、主制御部２１１は、Ｚアライメント光源１１やＸＹアライメント光源２１を点灯させる。また、主制御部２１１は、前眼部照明光源５０を点灯させる。処理部９は、撮像素子５９の撮像面上の前眼部像の撮像信号を取得し、表示部２７０に前眼部像を表示させる。その後、図１に示す光学系が被検眼Ｅの検査位置に移動される。検査位置とは、被検眼Ｅの検査を十分な精度内で行うことが可能な位置である。前述のアライメント（Ｚアライメント系１及びＸＹアライメント系２と前眼部観察系５とによるアライメント）を介して被検眼Ｅが検査位置に配置される。光学系の移動は、ユーザによる操作若しくは指示又は制御部２１０による指示にしたがって、制御部２１０によって実行される。すなわち、被検眼Ｅの検査位置への光学系の移動と、他覚測定を行うための準備とが行われる。
【０１１３】
また、主制御部２１１は、レフ測定光源６１と、合焦レンズ７４と、固視ユニット４０をそれぞれの光軸に沿って原点の位置（例えば、０Ｄに相当する位置）に移動させる。
【０１１４】
（ＳＱ３：光路長調整）
次に、時刻Ｔ３において、主制御部２１１は、光路長調整を実行する。
【０１１５】
例えば、角膜から網膜までを含む範囲のＯＣＴ計測を行う全眼球モード、又は前眼部のＯＣＴ計測を行う前眼部モードでは、主制御部２１１は、コーナーキューブ１１４を移動する移動機構を制御することで、あらかじめ決められ光路長差に一致するように測定光ＬＳと参照光ＬＲの光路長差を調整する。
【０１１６】
例えば、眼底（網膜）のＯＣＴ計測を行う眼底モードでは、眼底Ｅｆが断層像における所望の深さ位置に描出されるように測定光ＬＳと参照光ＬＲの光路長差が調整される。例えば、主制御部２１１は、ＯＣＴ光学系８を制御してＯＣＴ仮計測を実行させ、調整用断層像を画像形成部２２２に形成させる。すなわち、主制御部２１１は、光スキャナー８８を制御することにより、ＯＣＴ光源１０１から出射された光Ｌ０に基づいて生成された測定光ＬＳを偏向し、偏向された測定光ＬＳで被検眼Ｅの所定部位（例えば眼底）をスキャンさせる。測定光ＬＳのスキャンにより得られた干渉光の検出結果は、クロックＫＣに同期してサンプリングされた後、画像形成部２２２に送られる。画像形成部２２２は、得られた干渉信号から被検眼Ｅの断層像（ＯＣＴ画像）を形成する。
【０１１７】
主制御部２１１は、取得された断層像における所定の部位（例えば、眼底）をデータ処理部２２３に特定させる。主制御部２１１は、特定された所定の部位のＺ位置が断層像のフレームの所定の深さ位置になるように、コーナーキューブ１１４を移動する移動機構を制御することで、測定光ＬＳと参照光ＬＲの光路長差を調整する。いくつかの実施形態では、測定光ＬＳの光路長を変更することにより測定光ＬＳと参照光ＬＲの光路長差を調整する。
【０１１８】
（ＳＱ４：偏波調整）
次に、時刻Ｔ４において、主制御部２１１は、偏波調整を実行する。
【０１１９】
具体的には、主制御部２１１は、偏波コントローラ１０３、１１８の少なくとも一方を制御して光Ｌ０及び測定光ＬＳの少なくとも一方の偏波状態を所定の量だけ変更する。その後、主制御部２１１は、ＯＣＴ光学系８を制御してＯＣＴ計測を実行させ、取得された干渉光の検出結果に基づくＯＣＴ画像を画像形成部２２２に形成させる。主制御部２１１は、上記のように、ＯＣＴ計測により得られたＯＣＴ画像の画質をデータ処理部２２３に判定させる。データ処理部２２３による判定結果に基づいて測定光ＬＳの偏波状態が適正ではないと判断されたとき、主制御部２１１は、再び偏波コントローラ１０３、１１８の制御を行い、偏波状態が適正であると判断されるまで繰り返す。
【０１２０】
（ＳＱ５：レフ仮測定）
次に、時刻Ｔ５において、主制御部２１１は、屈折力の仮測定を実行させる。仮測定では、本測定の前にレフ測定光学系及びＯＣＴ光学系８における光学素子の位置等が調整される。
【０１２１】
例えば、主制御部２１１は、前述のように屈折力測定のためのリング状の測定パターン光束を被検眼Ｅに投射させる。被検眼Ｅからの測定パターン光束の戻り光に基づくリング像が撮像素子５９の撮像面に結像される。主制御部２１１は、撮像素子５９により検出された眼底Ｅｆからの戻り光に基づくリング像を取得できたか否かを判定する。例えば、主制御部２１１は、撮像素子５９により検出された戻り光に基づく像のエッジの位置（画素）を検出し、像の幅（外径と内径との差）が所定値以上であるか否かを判定する。或いは、主制御部２１１は、所定の高さ（リング径）以上の点（像）に基づいてリングを形成できるか否かを判定することにより、リング像を取得できたか否かを判定してもよい。
【０１２２】
リング像を取得できたと判定されたとき、眼屈折力算出部２２１は、被検眼Ｅに投射された測定パターン光束の戻り光に基づくリング像を公知の手法で解析し、仮の球面度数Ｓ及び仮の乱視度数Ｃを求める。主制御部２１１は、求められた仮の球面度数Ｓ及び乱視度数Ｃに基づき、レフ測定光源６１、合焦レンズ７４、及び固視ユニット４０を等価球面度数（Ｓ＋Ｃ／２）の位置（仮の遠点に相当する位置）へ移動させる。
【０１２３】
リング像を取得できないと判定されたとき、主制御部２１１は、強度屈折異常眼である可能性を考慮して、レフ測定光源６１及び合焦レンズ７４をあらかじめ設定したステップでマイナス度数側（例えば−１０Ｄ）、プラス度数側（例えば＋１０Ｄ）へ移動させる。主制御部２１１は、レフ測定受光系７を制御することにより各位置でリング像を検出させる。それでもリング像を取得できないと判定されたとき、主制御部２１１は、所定の測定エラー処理を実行する。このとき、眼科装置１０００の動作は次のステップに移行してもよい。制御部２１０では、レフ測定結果が得られなかったことを示す情報が記憶部２１２に記憶される。
【０１２４】
（ＳＱ６：フォーカス調整）
次に、時刻Ｔ６において、主制御部２１１は、ＯＣＴ光学系８においてフォーカス調整を実行する。
【０１２５】
例えば、全眼球モード又は前眼部モードでは、主制御部２１１は、水晶体の中央付近に測定光ＬＳの焦点位置が配置されるように合焦レンズ８７を所定の位置に移動させる。アライメント完了後において、眼科装置１０００の作動距離と光学系の構成とに基づいて、合焦レンズ８７を配置すべき位置は一意に特定される。
【０１２６】
例えば、全眼球モード又は眼底モードでは、主制御部２１１は、眼底付近に測定光ＬＳの焦点位置が配置されるように、ステップＳＱ５におけるレフ仮測定により得られた等価球面度数に対応する位置に合焦レンズ８７を移動させる。更に、主制御部２１１は、フォーカス微調整のために合焦レンズ８７を所定の距離だけ移動させた後、ＯＣＴ光学系８を制御してＯＣＴ計測を実行させる。主制御部２１１は、上記のように、ＯＣＴ計測により得られた干渉光の検出結果に基づいて測定光ＬＳのフォーカス状態をデータ処理部２２３に判定させる。データ処理部２２３による判定結果に基づいて測定光ＬＳのフォーカス状態が適正ではないと判断されたとき、主制御部２１１は、再び合焦レンズ８７の移動制御を行い、フォーカス状態が適正であると判断されるまで繰り返す。
【０１２７】
（ＳＱ７：雲霧）
次に、時刻Ｔ７において、主制御部２１１は、雲霧制御を実行する。
【０１２８】
具体的には、主制御部２１１は、ステップＳＱ６において求められた等価球面度数の位置から所定のディオプター（例えば、１．５ディオプター）分だけ固視ユニット４０を移動させる。それにより、固視ユニット４０における視標チャート４３Ａを、被検眼Ｅを雲霧させる位置に配置させることができる。
【０１２９】
（ＳＱ８：ＯＣＴ計測）
主制御部２１１は、ステップＳＱ６におけるフォーカス調整が完了した後に、時刻Ｔ７にＯＣＴ計測を開始させる。これにより、ステップＳＱ７における雲霧制御とＯＣＴ計測が略同時に実行される。ステップＳＱ８において３次元スキャンが実行される場合、ステップＳＱ７とステップＳＱ８とを同時に実行することで、レフ本測定とＯＣＴ計測とを略同時に終了させることができる。
【０１３０】
ステップＳＱ８では、主制御部２１１は、ＯＣＴ光源１０１を点灯させ、光スキャナー８８を制御することにより眼底Ｅｆの所定の部位を測定光ＬＳでスキャンさせる。測定光ＬＳのスキャンにより得られた検出信号は画像形成部２２２に送られる。
【０１３１】
いくつかの実施形態では、ステップＳＱ７の雲霧制御が完了した後に、ステップＳＱ８におけるＯＣＴ計測が実行される。すなわち、ステップＳＱ８においてラインスキャンやラジアルスキャン等の２次元スキャンが実行される場合、ステップＳＱ８と後述のステップＳＱ９とを同時に開始させる。
【０１３２】
（ＳＱ９：レフ本測定）
主制御部２１１は、ステップＳＱ７における雲霧制御が完了した後に、時刻Ｔ８にレフ本測定を開始させる。これにより、レフ本測定とＯＣＴ計測とが同時に実行される。
【０１３３】
主制御部２１１は、本測定としてレフ測定投射系６及びレフ測定受光系７を制御することによりリング像を再び取得させる。主制御部２１１は、前述と同様に得られたリング像の解析結果と合焦レンズ７４の移動量から球面度数、乱視度数及び乱視軸角度を眼屈折力算出部２２１に算出させる。
【０１３４】
また、眼屈折力算出部２２１は、求められた球面度数及び乱視度数から被検眼Ｅの遠点に相当する位置（本測定により得られた遠点に相当する位置）を求める。主制御部２１１は、求められた遠点に相当する位置に固視ユニット４０を移動させる。制御部２１０では、合焦レンズ７４の位置や算出された球面度数などが記憶部２１２に記憶される。主制御部２１１からの指示、又は操作部２８０に対するユーザの操作若しくは指示により、眼科装置１０００の動作はステップＳＱ１０に移行する。
【０１３５】
いくつかの実施形態では、ステップＳＱ９におけるレフ本測定と、ステップＳＱ８におけるＯＣＴ計測とが略同時に（例えば、時刻Ｔ９）に終了する。
【０１３６】
（ＳＱ１０：解析・画像形成）
次に、時刻Ｔ１０において、主制御部２１１は、ステップＳＱ９において得られた球面度数等や、ステップＳＱ８において得られたＯＣＴ計測結果に対する解析処理をデータ処理部２２３に実行させる。また、主制御部２１１は、ステップＳＱ８において得られたＯＣＴ計測結果に基づく画像形成処理を画像形成部２２２又はデータ処理部２２３に実行させる。以上で、眼科装置１０００の動作は終了である。
【０１３７】
以上説明したように、レフ測定光学系とＯＣＴ光学系８とを波長分離し、視角が異なる２つの固視標を被検眼Ｅに同時に呈示するようにしたので、レフ測定とＯＣＴ計測とを同時に実行することができる。それにより、検査時間を短縮し、被検者への負担を大幅に軽減することができるようになる。
【０１３８】
［第２実施形態］
第１実施形態では、レフ測定用の固視標とＯＣＴ計測用の固視標とを独立に移動する場合について説明したが、実施形態に係る眼科装置の構成はこれに限定されるものではない。例えば、ＯＣＴ計測用の固視標を投影する固視光源からの光のスポットサイズが十分に小さい場合、レフ測定用の固視標と一体的に移動することができる。以下、第２実施形態に係る眼科装置の構成について、第１実施形態との相違点を中心に説明する。
【０１３９】
図６Ａに、第２実施形態に係る固視ユニット４０の構成例を示す。図６Ａにおいて、図１と同様の部分には同一符号を付し、適宜説明を省略する。
【０１４０】
第１固視標投影系４１Ａは、ハーフミラー４２Ａ、透過型の視標チャート４３Ａ、及び照明用光源４５Ａを含む。照明用光源４５Ａからダイクロイックミラー８３に向けて、視標チャート４３Ａ、ハーフミラー４２Ａ、及びリレーレンズ４４の順序で配置される。視標チャート４３Ａは、照明用光源４５Ａと被検眼Ｅとの間に配置され、固視標ＦＴ１などの風景チャートが表された透過型の視標チャートである。いくつかの実施形態において、視標チャート４３Ａは、風景チャートが印刷された透過性のフィルムである。
【０１４１】
第２固視標投影系４１Ｂは、固視光源４５Ｂ、及び絞り４６Ｂを含む。固視光源４５Ｂとハーフミラー４２Ａとの間に、絞り４６Ｂが配置される。いくつかの実施形態において、絞り４６Ｂは、瞳孔共役位置に配置される。いくつかの実施形態において、固視光源４５Ｂと視標チャート４３Ａとは、光学的に共役な位置に配置される。いくつかの実施形態において、絞り４６Ｂとハーフミラー４２Ａとの間に視標チャートが配置される。視標チャートは、固視標ＦＴ１などのドット視標又はクロス視標が表された透過型の視標チャートである。いくつかの実施形態において、視標チャートは、ドット視標が印刷された透過性のフィルムである。
【０１４２】
主制御部２１１は、レフ測定を行うとき照明用光源４５Ａを点灯させ、照明用光源４５Ａからの光で視標チャート４３Ａを照明する。視標チャート４３Ａを透過した光は、ハーフミラー４２Ａを透過し、透過した固視光束が被検眼Ｅに照射されることにより風景チャートが被検眼Ｅに投影される。また、主制御部２１１は、ＯＣＴ計測を行うとき固視光源４５Ｂを点灯させることにより、絞り４６Ｂに形成された開口を通過した固視光束がハーフミラー４２Ａにより反射され、輝点（ドット視標）（第２固視標）として被検眼Ｅに投影される。主制御部２１１は、照明用光源４５Ａ及び固視光源４５Ｂを同時に点灯させることにより、図４Ｃに示す固視標ＦＴ３を被検眼Ｅに投影させることができる。
【０１４３】
いくつかの実施形態では、主制御部２１１は、照明用光源４５Ａを常時点灯させ、固視光源４５Ｂを点滅させる。それにより、固視標ＦＴ２（輝点ＢＰ１）の呈示状態が変更される。いくつかの実施形態では、固視光源４５Ｂは、光軸に対して移動可能である。いくつかの実施形態では、ハーフミラー４２Ａは、固視投影系４の光軸に対して反射面の向きを変更可能である。いくつかの実施形態では、複数の固視光源４５Ｂが設けられ、主制御部２１１が複数の固視光源４５Ｂを選択的に点灯させることにより、輝点の投影位置を変更したり、移動させたりする。いくつかの実施形態では、主制御部２１１が絞り４６Ｂの開口サイズを変更することにより、輝点の明るさ及び焦点深度を変更することができる。
【０１４４】
第２実施形態に係る眼科装置における動作例は、図５と同様であるため、詳細な説明を省略する。
【０１４５】
第２実施形態において、図６Ｂに示すように、視標チャート４３Ａ及び照明用光源４５Ａは一体となって光路に沿って移動されてもよい。いくつかの実施形態では、視標チャート４３Ａだけが光路に沿って移動される。図６Ｂでは、固視光源４５Ｂの位置が固定された状態で、視標チャート４３Ａ及び照明用光源４５Ａは一体となって雲霧位置に移動可能である。いくつかの実施形態では、固視ユニット４０を移動することで固視光源４５Ｂ及び視標チャート４３Ａが眼底共役位置に配置された後、視標チャート４３Ａ及び照明用光源４５Ａは、一体となって光路に沿って１．５ディオプター分だけ移動される。
【０１４６】
以上説明したように、第２実施形態によれば、第１実施形態と同様に、視角が異なる２つの固視標を被検眼Ｅに同時に呈示することができるため、レフ測定とＯＣＴ計測とを同時に実行することができる。それにより、検査時間を短縮し、被検者への負担を大幅に軽減することができるようになる。
【０１４７】
［第３実施形態］
実施形態に係る固視投影系４の構成は、第１実施形態又は第２実施形態で説明した構成に限定されるものではない。以下、第３実施形態に係る眼科装置の構成について、第２実施形態との相違点を中心に説明する。
【０１４８】
図７に、第３実施形態に係る固視ユニット４０の構成例を示す。図７において、図１又は図６Ａと同様の部分には同一符号を付し、適宜説明を省略する。
【０１４９】
第１固視標投影系４１Ａは、ハーフミラー４２Ａ、透過型の視標チャート４３Ａ、及び照明用光源４５Ａを含む。照明用光源４５Ａからダイクロイックミラー８３に向けて、ハーフミラー４２Ａ、視標チャート４３Ａ、及びリレーレンズ４４の順序で配置される。
【０１５０】
第２固視標投影系４１Ｂは、固視光源４５Ｂ、絞り４６Ｂ、及びリレーレンズ４８Ｂを含む。固視光源４５Ｂと絞り４６Ｂとの間に、リレーレンズ４８Ｂが配置される。いくつかの実施形態では、リレーレンズ４８Ｂは光軸方向に移動可能である。それにより、第１固視標投影系４１Ａとは独立して、固視光源４５Ｂを眼底共役位置に配置することが可能になる。
【０１５１】
主制御部２１１は、レフ測定を行うとき照明用光源４５Ａを点灯させる。照明用光源４５Ａからの光は、ハーフミラー４２Ａを透過し、視標チャート４３Ａを照明する。視標チャート４３Ａを透過した固視光束が被検眼Ｅに照射されることにより風景チャートが被検眼Ｅに投影される。また、主制御部２１１は、ＯＣＴ計測を行うとき固視光源４５Ｂを点灯させる。固視光源４５Ｂからの光は、リレーレンズ４８Ｂを通過し、絞り４６Ｂに形成された開口を通過した固視光束がハーフミラー４２Ａにより反射され、視標チャート４３Ａを透過し、輝点（ドット視標）（第２固視標）として被検眼Ｅに投影される。主制御部２１１は、照明用光源４５Ａ及び固視光源４５Ｂを同時に点灯させることにより、図４Ｃに示す固視標ＦＴ３を被検眼Ｅに投影させることができる。
【０１５２】
いくつかの実施形態では、主制御部２１１は、照明用光源４５Ａを常時点灯させ、固視光源４５Ｂを点滅させる。それにより、固視標ＦＴ２（輝点ＢＰ１）の呈示状態が変更される。いくつかの実施形態では、固視光源４５Ｂは、光軸に対して移動可能である。いくつかの実施形態では、ハーフミラー４２Ａは、固視投影系４の光軸に対して反射面の向きを変更可能である。いくつかの実施形態では、複数の固視光源４５Ｂが設けられ、主制御部２１１が複数の固視光源４５Ｂを選択的に点灯させることにより、輝点の投影位置を変更したり、移動させたりする。いくつかの実施形態では、主制御部２１１が絞り４６Ｂの開口サイズを変更することにより、輝点の明るさ及び焦点深度を変更することができる。
【０１５３】
第３実施形態に係る眼科装置における動作例は、図５と同様であるため、詳細な説明を省略する。
【０１５４】
以上説明したように、第３実施形態によれば、第２実施形態と同様に、視角が異なる２つの固視標を被検眼Ｅに同時に呈示することができるため、レフ測定とＯＣＴ計測とを同時に実行することができる。それにより、検査時間を短縮し、被検者への負担を大幅に軽減することができるようになる。
【０１５５】
［第４実施形態］
実施形態に係る固視投影系４の構成は、第１実施形態〜第３実施形態で説明した構成に限定されるものではない。以下、第４実施形態に係る眼科装置の構成について、第２実施形態との相違点を中心に説明する。
【０１５６】
図８に、第４実施形態に係る固視投影系４の構成例を示す。図８において、図１又は図６Ａと同様の部分には同一符号を付し、適宜説明を省略する。
【０１５７】
第１固視標投影系４１Ａは、透過型の視標チャート４３Ａ、及び照明用光源４５Ａを含む。照明用光源４５Ａとリレーレンズ４４と間に視標チャート４３Ａが配置される。
【０１５８】
第２固視標投影系４１Ｂは、固視光源４５Ｂを含む。固視光源４５Ｂは、視標チャート４３Ａの背面側に配置される。すなわち、照明用光源４５Ａからリレーレンズ４４に向けて、固視光源４５Ｂ、視標チャート４３Ａの順序で配置される。いくつかの実施形態において、固視光源４５Ｂは、所定の発光サイズを有する点光源である。
【０１５９】
主制御部２１１は、レフ測定を行うとき照明用光源４５Ａを点灯させ、照明用光源４５Ａからの光で視標チャート４３Ａを照明することにより風景チャートを被検眼Ｅに投影させる。また、主制御部２１１は、ＯＣＴ計測を行うとき固視光源４５Ｂを点灯させることにより輝点（ドット視標）を被検眼Ｅに投影させる。主制御部２１１は、照明用光源４５Ａ及び固視光源４５Ｂを同時に点灯させることにより、図４Ｃに示す固視標ＦＴ３を被検眼Ｅに投影させることができる。
【０１６０】
いくつかの実施形態では、主制御部２１１は、照明用光源４５Ａを常時点灯させ、固視光源４５Ｂを点滅させる。それにより、固視標ＦＴ２（輝点ＢＰ１）の呈示状態が変更される。いくつかの実施形態では、固視光源４５Ｂは、光軸に対して移動可能である。いくつかの実施形態では、ハーフミラー４２Ａは、固視投影系４の光軸に対して反射面の向きを変更可能である。いくつかの実施形態では、複数の固視光源４５Ｂが設けられ、主制御部２１１が複数の固視光源４５Ｂを選択的に点灯させることにより、輝点の投影位置を変更したり、移動させたりする。
【０１６１】
第４実施形態に係る眼科装置における動作例は、図５と同様であるため、詳細な説明を省略する。
【０１６２】
以上説明したように、第４実施形態によれば、第１実施形態と同様に、視角が異なる２つの固視標を被検眼Ｅに同時に呈示することができるため、レフ測定とＯＣＴ計測とを同時に実行することができる。それにより、検査時間を短縮し、被検者への負担を大幅に軽減することができるようになる。
【０１６３】
なお、第１実施形態〜第４実施形態では、屈折力測定とＯＣＴ計測とを同時に実行する場合について説明したが、実施形態に係る眼科装置の動作はこれに限定されるものではない。例えば、実施形態に係る眼科装置は、上記の実施形態と同様に、ケラト測定とＯＣＴ計測とを同時に実行してもよい。ケラト測定では、屈折力測定と同様の固視標が被検眼Ｅに呈示されてもよい。
【０１６４】
レフ測定投射系６及びレフ測定受光系７は、実施形態に係る「屈折力測定光学系」の一例である。風景チャートは、実施形態に係る「第１固視標」の一例である。ドット視標（輝点）又はクロス視標は、実施形態に係る「第２固視標」の一例である。ハーフミラー４２Ａは、実施形態に係る「光学部材」の一例である。照明用光源４５Ａは、実施形態に係る「第１光源」の一例である。固視光源４５Ｂは、実施形態に係る「光源」又は「第２光源」の一例である。固視光源４５Ｂは、実施形態に係る「光源」の一例である。ダイクロイックミラー６７は、実施形態に係る「光路合成分離部材」の一例である。
【０１６５】
［作用・効果］
実施形態に係る眼科装置の作用及び効果について説明する。
【０１６６】
いくつかの実施形態に係る眼科装置（１０００）は、屈折力測定光学系（レフ測定投射系６、レフ測定受光系７）と、ＯＣＴ光学系（８）と、固視投影系（４）と、制御部（２１０、主制御部２１１）とを含む。屈折力測定光学系は、被検眼（Ｅ）に光を投射し、被検眼からの戻り光を検出する。ＯＣＴ光学系は、ＯＣＴ光源（１０１）からの光（Ｌ０）を参照光（ＬＲ）と測定光（ＬＳ）とに分割し、測定光を被検眼に投射し、被検眼からの測定光の戻り光と参照光との干渉光（ＬＣ）を検出する。固視投影系４は、第１固視標（風景チャート）と第１固視標より視角が狭い第２固視標（ドット視標、クロス視標）とを被検眼に同時に投影する。制御部は、屈折力測定光学系を用いた屈折力測定とＯＣＴ光学系を用いたＯＣＴ計測とを同時に実行させる。
【０１６７】
このような構成によれば、視角が異なる２つの固視標を被検眼Ｅに同時に呈示することができる。２つの固視標として、例えば、屈折力測定において被検眼に視力調節をさせないように視角が大きい固視標と、ＯＣＴ計測において固視を安定させるように視角が小さい固視標とがある。このような固視標を被検眼に同時に呈示しつつ屈折力測定及びＯＣＴ計測を同時に実行するようにしたので、屈折力測定光学系とＯＣＴ光学系とを備えた眼科装置において、適正な測定及び計測を行いつつ、検査等に要する時間を短縮することが可能になる。それにより、被検者への負担を大幅に軽減することができるようになる。
【０１６８】
いくつかの実施形態に係る眼科装置では、制御部は、固視投影系を制御することにより第２固視標の呈示状態を変更する。
【０１６９】
このような構成によれば、第１固視標を投影した状態でも第２固視標に被検眼を注視させることが可能になる。
【０１７０】
いくつかの実施形態に係る眼科装置では、固視投影系は、第１固視標を被検眼に投影する第１固視標投影系（４１Ａ）と、第２固視標を被検眼に投影する第２固視標投影系（４１Ｂ）と、を含み、第１固視標投影系は、第１固視標投影系の光路に第２固視標投影系の光路を合成する光学部材（ハーフミラー４２Ａ）を含む。
【０１７１】
このような構成によれば、簡素な構成で、視角が異なる２つの固視標を被検眼に対して同時に呈示することが可能になる。
【０１７２】
いくつかの実施形態に係る眼科装置では、第１固視標投影系は、被検眼を雲霧させる位置に配置され第１固視標が表示された視標チャート（４３Ａ）を含み、第２固視標投影系は、被検眼の眼底（Ｅｆ）と光学的に共役な位置に配置された光源（固視光源４５Ｂ）を含む。
【０１７３】
このような構成によれば、屈折力測定において被検眼に視力調節をさせないように第１固視標を被検眼に呈示し、ＯＣＴ計測において固視を安定させるように第２固視標を呈示することができる。従って、屈折力測定により得られる高精度な測定結果とＯＣＴ計測により得られる高精度な計測結果とを同時に取得することができる。
【０１７４】
いくつかの実施形態に係る眼科装置では、第１固視標投影系は、第１固視標が表示された視標チャート（４３Ａ）を含み、第２固視標投影系は、視標チャートと光学的に共役な位置に配置された光源（固視光源４５Ｂ）と、光源と光学部材との間に配置された絞り（４６Ｂ）と、を含む。
【０１７５】
このような構成によれば、第１固視標と第２固視標とを呈示するための視標チャートと光源とを一体的に移動することができるので、簡素な構成で、屈折力測定及びＯＣＴ計測を同時に実行することが可能になる。
【０１７６】
いくつかの実施形態に係る眼科装置では、第１固視標投影系は、第１光源（照明用光源４５Ａ）と、光学部材より被検眼の側に配置され第１固視標が表示された透過型の視標チャート（４３Ａ）と、を含み、第１光源と視標チャートとの間に光学部材が配置され、第２固視標投影系は、視標チャートと光学的に共役な位置に配置された第２光源（固視光源４５Ｂ）を含む。
【０１７７】
このような構成によれば、第１固視標と第２固視標とを呈示するための視標チャートと第１光源と第２光源とを一体的に移動することができるので、簡素な構成で、屈折力測定及びＯＣＴ計測を同時に実行することが可能になる。
【０１７８】
いくつかの実施形態に係る眼科装置では、固視投影系は、光軸方向に移動可能であり、制御部は、被検眼を雲霧させる位置に視標チャートを移動するように固視投影系を移動させる。
【０１７９】
このような構成によれば、簡素な構成で、第１固視標と第２固視標とを呈示するための固視投影系を移動することができる。
【０１８０】
いくつかの実施形態に係る眼科装置では、制御部は、少なくとも被検眼を雲霧させる位置に視標チャートを移動させる雲霧制御が行われているとき、ＯＣＴ光学系によるＯＣＴ計測を実行させる。
【０１８１】
このような構成によれば、３次元スキャンなど、ＯＣＴ計測に時間が要する場合でも、屈折力測定とＯＣＴ計測とを同時に実行することで、検査等に要する時間を大幅に短縮することが可能になる。
【０１８２】
いくつかの実施形態にかかる眼科装置は、屈折力測定光学系の光路にＯＣＴ光学系の光路を合成する光路合成分離部材（ダイクロイックミラー６７）と、光路合成分離部材により合成された合成光路上に配置された対物レンズ（５１）と、を含み、光路合成分離部材は、対物レンズを介して入射した光を波長分離し、波長分離された光をＯＣＴ光学系に導く。
【０１８３】
このような構成によれば、簡素な構成で、屈折力測定及びＯＣＴ計測を同時に実行することが可能になる。
【０１８４】
いくつかの実施形態に係る眼科装置（１０００）の制御方法は、屈折力測定光学系（レフ測定投射系６、レフ測定受光系７）と、ＯＣＴ光学系（８）と、固視投影系（４）と、制御部（２１０、主制御部２１１）とを含む眼科装置の制御方法である。屈折力測定光学系は、被検眼（Ｅ）に光を投射し、被検眼からの戻り光を検出する。ＯＣＴ光学系は、ＯＣＴ光源（１０１）からの光（Ｌ０）を参照光（ＬＲ）と測定光（ＬＳ）とに分割し、測定光を被検眼に投射し、被検眼からの測定光の戻り光と参照光との干渉光（ＬＣ）を検出する。固視投影系４は、第１固視標（風景チャート）と第１固視標より視角が狭い第２固視標（ドット視標、クロス視標）とを被検眼に同時に投影する。眼科装置の制御方法は、制御部が固視投影系を制御して第１固視標と第２固視標とを被検眼に同時に投影する投影ステップと、第１固視標と第２固視標とが被検眼に同時に投影されている間に、屈折力測定光学系を用いた屈折力測定とＯＣＴ光学系を用いたＯＣＴ計測とを同時に実行させる計測ステップと、を含む。
【０１８５】
このような制御によれば、視角が異なる２つの固視標を被検眼Ｅに同時に呈示しつつ屈折力測定及びＯＣＴ計測を同時に実行するようにしたので、屈折力測定光学系とＯＣＴ光学系とを備えた眼科装置において、適正な測定及び計測を行いつつ、検査等に要する時間を短縮することが可能になる。それにより、被検者への負担を大幅に軽減することができるようになる。
【０１８６】
いくつかの実施形態に係る眼科装置の制御方法では、投影ステップは、固視投影系を制御することにより第２固視標の呈示状態を変更する。
【０１８７】
このような制御によれば、第１固視標を投影した状態でも第２固視標に被検眼を注視させることが可能になる。
【０１８８】
いくつかの実施形態に係る眼科装置の制御方法では、固視投影系は、光軸方向に移動可能であり、固視投影系は、第１固視標が表示された視標チャート（４３Ａ）を含み、計測ステップは、屈折力測定光学系を制御して屈折力測定を行う屈折力測定ステップと、ＯＣＴ光学系を制御してＯＣＴ計測を行うＯＣＴ計測ステップと、を含み、屈折力測定ステップは、制御部が被検眼を雲霧させる位置に視標チャートを移動させるように固視投影系を制御する雲霧制御ステップを含み、少なくとも雲霧制御ステップとＯＣＴ計測ステップとを同時に実行させる。
【０１８９】
このような制御によれば、３次元スキャンなど、ＯＣＴ計測に時間が要する場合でも、簡素な制御で、屈折力測定とＯＣＴ計測とを同時に実行させ、検査等に要する時間を大幅に短縮することが可能になる。
【０１９０】
＜その他＞
以上に示された実施形態は、この発明を実施するための一例に過ぎない。この発明を実施しようとする者は、この発明の要旨の範囲内において任意の変形、省略、追加等を施すことが可能である。
【符号の説明】
【０１９１】
１  Ｚアライメント系
２  ＸＹアライメント系
３  ケラト測定系
４  固視投影系
５  前眼部観察系
６  レフ測定投射系
７  レフ測定受光系
８  ＯＣＴ光学系
９  処理部
４０  固視ユニット
４１Ａ  第１固視標投影系
４１Ｂ  第２固視標投影系
２１０  制御部
２１１  主制御部
１０００  眼科装置
【図１】
2020025616.tif 000003
【図２】
2020025616.tif 000004
【図３】
2020025616.tif 000005
【図４Ａ】
2020025616.tif 000006
【図４Ｂ】
2020025616.tif 000007
【図４Ｃ】
2020025616.tif 000008
【図５】
2020025616.tif 000009
【図６Ａ】
2020025616.tif 000010
【図６Ｂ】
2020025616.tif 000011
【図７】
2020025616.tif 000012
【図８】
2020025616.tif 000013